(57)【要約】【課題】伝送信号の呼制御信号への変換結果を比較して検証する時の手順を容易にすることができる信号伝送機能検証装置及び方法を提供すること。【解決手段】本発明は、基地局の有線伝送路の接続点と前記基地局の内部信号伝送路と前記基地局の無線伝送路の接続点とを収集点として当該収集点から伝送信号を収集する信号収集装置１０４−１１〜１０４−１３と、収集された前記伝送信号を独立に呼制御信号へ変換する信号変換装置１０４−２１〜１０４−２３と、前記呼制御信号への信号変換過程においてＣＦＮを抽出するＣＦＮ抽出装置１０４−３１〜１０４−３３と、抽出された前記ＣＦＮを前記呼制御信号に時刻情報として付与するＣＦＮ付与装置１０４−４１〜１０４−４３と、前記複数の呼制御信号の前記ＣＦＮが同一である場合に同一の信号であるとして前記複数の呼制御信号を比較して判断結果を生成する信号判断装置１０４−５と、を具備する。【選択図】　　　図１
2004080287.tif 000002
【特許請求の範囲】
【請求項１】
Ｗ−ＣＤＭＡシステムにおいて、基地局の有線伝送路の接続点と前記基地局の内部信号伝送路と前記基地局の無線伝送路の接続点とを収集点として当該収集点から伝送信号を収集する信号収集手段と、前記信号収集手段により収集された前記伝送信号を独立に呼制御信号へ変換する信号変換手段と、前記信号変換手段による前記呼制御信号への信号変換過程においてＣＦＮを抽出するＣＦＮ抽出手段と、前記ＣＦＮ抽出手段により抽出された前記ＣＦＮを前記呼制御信号に時刻情報として付与するＣＦＮ付与手段と、前記複数の呼制御信号の前記ＣＦＮが同一である場合に同一の信号であるとして前記複数の呼制御信号を比較して判断結果を生成する信号判断手段と、を具備することを特徴とする信号伝送機能検証装置。
【請求項２】
前記信号判断手段からの前記判断結果を前記ＣＦＮを時刻基準として一元的に画面表示を行う表示手段を具備することを特徴とする請求項１記載の信号伝送機能検証装置。
【請求項３】
前記表示手段は、前記信号判断手段による前記判断結果を前記呼制御信号ごとに表示する手段を具備することを特徴とする請求項２記載の信号伝送機能検証装置。
【請求項４】
Ｗ−ＣＤＭＡシステムにおける基地局の有線伝送路の接続点と前記基地局の内部信号伝送路と前記基地局の無線伝送路の接続点とを収集点として当該収集点から伝送信号を収集する信号収集ステップと、前記伝送信号を独立に呼制御信号へ変換する信号変換ステップと、前記呼制御信号への信号変換過程においてＣＦＮを抽出するＣＦＮ抽出ステップと、前記ＣＦＮを前記呼制御信号に時刻情報として付与するＣＦＮ付与ステップと、前記複数の呼制御信号の前記ＣＦＮが同一である場合に同一の信号であるとして前記複数の呼制御信号を比較して判断結果を生成する信号判断ステップと、を具備することを特徴とする信号伝送機能検証方法。
【発明の詳細な説明】
【０００１】
【発明の属する技術分野】
本発明は、Ｗ−ＣＤＭＡシステムにおける呼制御信号とを比較して検証する信号伝送機能検証装置及び方法に関するものである。
【０００２】
【従来の技術】
Ｗ−ＣＤＭＡシステムにおいては、移動機と基地局との間において無線呼の接続、変更及び解放等の制御を行う信号として、ＲＲＣ（Ｒａｄｉｏ　Ｒｅｓｏｕｒｃｅ　Ｃｏｎｔｒｏｌ）と呼ばれる呼制御信号が使用される。
【０００３】
無線区間の接続状況に何らかの問題が発生した場合、基地局の機能動作の正当性を検証するために、基地局装置内を伝送される呼制御信号を、例えばネットワーク側の基地局上位装置であるＲＮＣ（Ｒａｄｉｏ　Ｎｅｔｗｏｒｋ　Ｃｏｎｔｒｏｌｌｅｒ）と基地局との間の有線接続点、基地局内部の信号伝送点及び基地局と移動機との間の無線接続点といった複数点で収集を行って、伝送信号と呼制御信号とを比較して検証を行なう信号伝送機能検証装置が一般的に使用される。
【０００４】
従来の信号伝送機能検証装置においては、呼制御信号は基地局内を伝送させる際に伝送に適した信号形態へと変換されるため、基地局内を伝送される呼制御信号の評価を行う際には収集した伝送信号を呼制御信号へと再変換している。また、従来の信号伝送機能検証装置においては、伝送信号の収集点によって適用される伝送信号のフォーマットが異なるため、収集点ごとに独立して呼制御信号への再変換を行って、その後に変換結果を比較して検証する手順を採っている。
【０００５】
【発明が解決しようとする課題】
しかしながら、従来の信号伝送機能検証装置においては、前記手順において、各収集点における伝送信号及び呼制御信号に時刻情報を一元的に付与することができないため、伝送信号の変換結果を比較して検証する時における手順が煩雑となるという問題がある。
【０００６】
本発明は、かかる点に鑑みてなされたものであり、伝送信号の呼制御信号への変換結果を比較して検証する時における手順を容易にすることができる信号伝送機能検証装置及び方法を提供することを目的とする。
【０００７】
【課題を解決するための手段】
本発明の信号伝送機能検証装置は、Ｗ−ＣＤＭＡシステムにおいて、基地局の有線伝送路の接続点と前記基地局の内部信号伝送路と前記基地局の無線伝送路の接続点とを収集点として当該収集点から伝送信号を収集する信号収集手段と、前記信号収集手段により収集された前記伝送信号を独立に呼制御信号へ変換する信号変換手段と、前記信号変換手段による前記呼制御信号への信号変換過程においてＣＦＮを抽出するＣＦＮ抽出手段と、前記ＣＦＮ抽出手段により抽出された前記ＣＦＮを前記呼制御信号に時刻情報として付与するＣＦＮ付与手段と、前記複数の呼制御信号の前記ＣＦＮが同一である場合に同一の信号であるとして前記複数の呼制御信号を比較して判断結果を生成する信号判断手段と、を具備する構成を採る。
【０００８】
この構成によれば、複数の収集点の各々において収集した伝送信号とこれらの伝送信号を変換した呼制御信号をＣＦＮに基づいて識別可能なため、伝送信号の呼制御信号への変換結果を比較して検証する時における手順を容易にすることができる。
【０００９】
本発明の信号伝送機能検証装置は、前記構成において、前記信号判断手段からの前記判断結果をＣＦＮを時刻基準として一元的に画面表示を行う表示手段を具備する構成を採る。
【００１０】
この構成によれば、前記効果に加えて、収集点からの伝送信号の呼制御信号への変換の判断結果を前記ＣＦＮを時刻基準として一元的に画面表示を行うことができる。
【００１１】
本発明の信号伝送機能検証装置は、前記構成において、前記表示手段が、前記信号判断手段による前記判断結果を前記呼制御信号ごとに表示する手段を具備する構成を採る。
【００１２】
この構成によれば、前記効果に加えて、収集点からの伝送信号の呼制御信号への変換の判断結果を呼制御信号ごとに表示することができる。
【００１３】
本発明の信号伝送機能検証方法は、Ｗ−ＣＤＭＡシステムにおける基地局の有線伝送路の接続点と前記基地局の内部信号伝送路と前記基地局の無線伝送路の接続点とを収集点として当該収集点から伝送信号を収集する信号収集ステップと、前記伝送信号を独立に呼制御信号へ変換する信号変換ステップと、前記呼制御信号への信号変換過程においてＣＦＮを抽出するＣＦＮ抽出ステップと、前記ＣＦＮを前記呼制御信号に時刻情報として付与するＣＦＮ付与ステップと、前記複数の呼制御信号の前記ＣＦＮが同一である場合に同一の信号であるとして前記複数の呼制御信号を比較して判断結果を生成する信号判断ステップと、を具備するようにした。
【００１４】
この方法によれば、複数の収集点の各々において収集した伝送信号とこれらの伝送信号を変換した呼制御信号をＣＦＮに基づいて識別可能なため、伝送信号の呼制御信号への変換結果を比較して検証する時における手順を容易にすることができる。
【００１５】
【発明の実施の形態】
本発明の骨子は、基地局の有線伝送路の接続点と前記基地局の内部信号伝送路と前記基地局の無線伝送路の接続点とを収集点として当該収集点から伝送信号を収集し、前記伝送信号を独立に呼制御信号へ変換し、前記呼制御信号への信号変換過程においてＣＦＮを抽出して前記呼制御信号に時刻情報として付与し、前記複数の呼制御信号の前記ＣＦＮが同一である場合に同一の信号であるとして前記複数の呼制御信号を比較して判断結果を生成することである。
【００１６】
以下、本発明の実施の形態について、図面を参照して詳細に説明する。
【００１７】
図１は、本発明の一実施の形態に係る信号伝送機能検証装置を具備するＷ−ＣＤＭＡシステムの構成を示すブロック図である。
【００１８】
図１に示すように、Ｗ−ＣＤＭＡシステム１００は、基地局１０１、基地局上位装置１０２、移動機１０３及び信号伝送機能検証装置１０４を具備している。基地局上位装置１０２は、基地局１０１に有線伝送路１０５を介して接続され、基地局１０１との間で信号の送受を行う。
【００１９】
信号伝送機能検証装置１０４は、信号収集装置１０４−１１、１０４−１２、１０４−１３、信号変換装置１０４−２１、１０４−２２、１０４−２３、ＣＦＮ抽出装置１０４−３１、１０４−３２、１０４−３３、ＣＦＮ付与装置１０４−４１、１０４−４２、１０４−４３、信号判断装置１０４−５及び表示装置１０４−６を具備している。
【００２０】
信号収集装置１０４−１１の入力端子は、有線伝送路１０５に有線伝送路１０６を介して接続されている。信号変換装置１０４−２１の入力端子は、信号収集装置１０４−１１の出力端子に接続されている。ＣＦＮ抽出装置１０４−３１の入力端子は、信号変換装置１０４−２１に接続されている。ＣＦＮ付与装置１０４−４１の入力端子は、信号変換装置１０４−２１及びＣＦＮ抽出装置１０４−３１の出力端子に接続されている。
【００２１】
信号収集装置１０４−１２は、基地局１０１に有線伝送路１０７を介して接続されている。信号変換装置１０４−２２の入力端子は、信号収集装置１０４−１２の出力端子に接続されている。ＣＦＮ抽出装置１０４−３２の入力端子は、信号変換装置１０４−２２に接続されている。ＣＦＮ付与装置１０４−４２の入力端子は、信号変換装置１０４−２２及びＣＦＮ抽出装置１０４−３２の出力端子に接続されている。
【００２２】
信号変換装置１０４−２３の入力端子は、信号収集装置１０４−１３の出力端子に接続されている。ＣＦＮ抽出装置１０４−３３の入力端子は、信号変換装置１０４−２３に接続されている。ＣＦＮ付与装置１０４−４３の入力端子は、信号変換装置１０４−２３及びＣＦＮ抽出装置１０４−３３の出力端子に接続されている。
【００２３】
信号判断装置１０４−５の入力端子は、ＣＦＮ付与装置１０４−４１、１０４−４２、１０４−４３の出力端子に接続されている。表示装置１０４−６の入力端子は、信号判断装置１０４−５の出力端子に接続されている。
【００２４】
基地局１０１の信号伝送機能を検証する上でにおける伝送信号の収集点は、基地局１０１と基地局上位装置１０２との有線伝送路の接続点Ａ、基地局１０１の内部信号伝送路Ｂ及び基地局１０１と移動機との無線接続点Ｃである。
【００２５】
これらの収集点Ａ、Ｂ、Ｃから収集される伝送信号のフォーマットはそれぞれ異なるため、収集点Ａ、Ｂ、Ｃごとに独立に伝送信号の呼制御信号への信号変換を行う。この信号変換は、複数段階のプロトコル変換を経て実現される。この時に、基地局１０１と基地局上位装置１０２との有線伝送路の接続点Ａ及び基地局１０１の内部の信号伝送路Ｂにおいては、伝送信号がフレームプロトコル（Ｆｒａｍｅ　Ｐｒｏｔｏｃｏｌ）フォーマットへと変更される際に伝送信号内に格納されているＣＦＮ（Ｃｏｎｎｅｃｔｉｏｎ　Ｆｒａｍｅ　Ｎｕｍｂｅｒ）が検出可能となる。また、基地局１０１と移動機との無線接続点Ｃにおいては、伝送信号から再送制御レイヤへの信号変換を行う際にＣＦＮが検出可能である。ＣＦＮとは、Ｗ−ＣＤＭＡシステムの無線区間における信号伝送のタイミングを表す値である。フレームプロトコルは、有線伝送路上の信号を無線区間に送出するタイミングを制御する目的で伝送信号にＣＦＮを付与する。
【００２６】
従来の信号伝送機能検証装置においては、ＣＦＮは上位レイヤへのさらなる信号変換の過程で破棄されていたが、本発明の信号伝送機能検証装置においては、伝送信号を変換して得られた呼制御信号にＣＦＮを時刻情報として付与することにしている。
【００２７】
次に、信号伝送機能検証装置１０４の動作について、図１と共に図２を参照して説明する。
【００２８】
信号収集装置１０４−１１は、収集点Ａから伝送信号を収集して信号変換装置１０４−２１に与える。信号変換装置１０４−２１は、信号収集装置１０４−１１からの伝送信号を独立に呼制御信号へ変換してＣＦＮ付与装置１０４−４１に与える。ＣＦＮ抽出装置１０４−３１は、信号変換装置１０４−２１による伝送信号の呼制御信号への信号変換過程においてＣＦＮを抽出してＣＦＮ付与装置１０４−４１に与える。ＣＦＮ付与装置１０４−４１は、ＣＦＮ抽出装置１０４−３１により抽出されたＣＦＮを、当該ＣＦＮを抽出した伝送信号を変換した呼制御信号に時刻情報として付与し、ＣＦＮが付与された呼制御信号を信号判断装置１０４−５に与える。
【００２９】
信号収集装置１０４−１２は、収集点Ｂから伝送信号を収集して信号変換装置１０４−２２に与える。信号変換装置１０４−２２は、信号収集装置１０４−１２からの伝送信号を独立に呼制御信号へ変換してＣＦＮ付与装置１０４−４２に与える。ＣＦＮ抽出装置１０４−３２は、信号変換装置１０４−２２による伝送信号の呼制御信号への信号変換過程においてＣＦＮを抽出してＣＦＮ付与装置１０４−４２に与える。ＣＦＮ付与装置１０４−４２は、ＣＦＮ抽出装置１０４−３２により抽出されたＣＦＮを、当該ＣＦＮを抽出した伝送信号を変換した呼制御信号に時刻情報として付与し、ＣＦＮが付与された呼制御信号を信号判断装置１０４−５に与える。
【００３０】
信号収集装置１０４−１３は、収集点Ｃから伝送信号を収集して信号変換装置１０４−２３に与える。信号変換装置１０４−２３は、信号収集装置１０４−１３からの伝送信号を独立に呼制御信号へ変換してＣＦＮ付与装置１０４−４３に与える。ＣＦＮ抽出装置１０４−３３は、信号変換装置１０４−２３による伝送信号の呼制御信号への信号変換過程においてＣＦＮを抽出してＣＦＮ付与装置１０４−４３に与える。ＣＦＮ付与装置１０４−４３は、ＣＦＮ抽出装置１０４−３３により抽出されたＣＦＮを、当該ＣＦＮを抽出した伝送信号を変換した呼制御信号に時刻情報として付与し、ＣＦＮが付与された呼制御信号を信号判断装置１０４−５に与える。
【００３１】
信号判断装置１０４−５は、ＣＦＮ付与装置１０４−４１、１０４−４２、１０４−４３からの呼制御信号のＣＦＮが同一である場合に同一の信号であるとして前記複数の呼制御信号を比較して判断結果を生成して表示装置１０４−６に与える。
【００３２】
表示装置１０４−６は、信号判断装置１０４−５からの判断結果、すなわち、異なる収集点Ａ、Ｂ、Ｃからの伝送信号の呼制御信号への変換の判断結果をＣＦＮを時刻基準として一元的に画面表示を行う。なお、表示装置１０４−６は、信号判断装置１０４−５による判断結果を呼制御信号ごとに表示を行う手段を有することが望ましい。
【００３３】
本発明の一実施の形態においては、収集点Ａ、Ｂ、Ｃにおいて収集した伝送信号とこれらの伝送信号を変換した呼制御信号をＣＦＮに基づいて識別可能なため、伝送信号と呼制御信号との比較及び検証が容易となる。また、本発明の一実施の形態においては、ＣＦＮを使用した一元的な時刻情報の付与により、比較及び検証機能の自動化も容易に実現可能であり、高速で高精度な信号伝送機能検証装置の実現を可能とする。
【００３４】
【発明の効果】
以上説明したように、本発明によれば、複数の収集点の各々において収集した伝送信号とこれらの伝送信号を変換した呼制御信号をＣＦＮに基づいて識別可能なため、伝送信号の呼制御信号への変換結果を比較して検証する時における手順を容易にすることができる。
【図面の簡単な説明】
【図１】本発明の一実施の形態に係る信号伝送機能検証装置を具備するＷ−ＣＤＭＡシステムの構成を示すブロック図
【図２】本発明の一実施の形態に係る信号伝送機能検証装置の動作を説明するための図
【符号の説明】
１００　Ｗ−ＣＤＭＡシステム
１０１　基地局
１０２　基地局上位装置
１０３　移動機
１０４　信号伝送機能検証装置
１０４−１１、１０４−１２、１０４−１３　信号収集装置
１０４−２１、１０４−２２、１０４−２３　信号変換装置
１０４−３１、１０４−３２、１０４−３３　ＣＦＮ抽出装置
１０４−４１、１０４−４２、１０４−４３　ＣＦＮ付与装置
１０４−５　信号判断装置
１０４−６　表示装置
【図１】
2004080287.tif 000003
【図２】
2004080287.tif 000004